(57)【要約】【課題】  根掛かりの原因となるルアー本体の腹部に吊設される釣り針を、ルアー本体の腹部に一時的に固定することのできるルアーを提供する。【解決手段】  釣り針２，２には、係入用突起部材４，５を装着し、ルアー本体１０には、係入用突起部材の先端が侵入できる係入用凹部６，７を備えている。係入用突起部材は、略Ｃ字状の本体部４１と、この本体部の開口両端から外方に突出する突出部４２，４３とで構成され、本体部を釣り針の基部に装着する。【選択図】  図１
2008035711.tif 000002
【特許請求の範囲】
【請求項１】
ルアー本体に設けられたフック用リングに釣り針を装着してなるルアーにおいて、上記釣り針には、係入用突起部材を装着し、上記ルアー本体には、上記係入用突起部材の先端が侵入できる係入用凹部を備え、上記係入用突起部材は、略Ｃ字状の本体部と、この本体部の開口両端から外方に突出する突出部とで構成され、上記本体部を上記釣り針の基部に装着してなることを特徴とするルアー。
【請求項２】
前記係入用突起部材の突出部は、前記係入用突起部材の本体部両端から所定の間隙を有しつつ略平行に突出する２本の突出基部と、この突出基部のそれぞれの先端付近において外向きに膨出する膨出部とからなる突起部である請求項１記載のルアー。
【請求項３】
前記係入用凹部は、前記膨出部が収容できる程度の容積を有する収容部を有し、該係入用凹部の開口は、前記２本の突出基部を接近させて両者の中間に構成される間隙を縮小させるとき、前記膨出部を含む先端部分が通過できるようにしてなる係入用凹部である請求項２記載のルアー。
【請求項４】
前記膨出部は、突出基部の先端から基部に向かって膨出長さが徐々に大きくなるように構成した膨出部である請求項２または３記載のルアー。
【請求項５】
前記釣り針は、ルアー本体の複数個所に装着され、これらのうち少なくとも１個に前記係入用突起部材が装着されるとともに、この係入用突起部材を侵入可能な係入用凹部が必要個数だけ設けられた請求項１ないし４のいずれかに記載のルアー。
【発明の詳細な説明】
【技術分野】
【０００１】
本発明は、ルアーに関し、特に、ルアー本体に釣り針を係止できるように構成してなるルアーに関するものである。
【背景技術】
【０００２】
従来のルアーは、ルアー本体に設けられるフック用リングに、略円環状の釣り針基部を挿通させ、その釣り針の向きが自在に変化できるように垂下させる構成であった（特許文献１における釣り針参照）。釣り針がその向きを自在に変化できるように構成する目的は、水中での釣り針の向きが一様とならず、釣りの対象魚による捕食に際し、釣り針が広い角度で待ち受けることができるためである。しかし、対象魚による捕食に対して広角的に待ち受けることができる反面、根掛かりの原因となる海底または湖底等の海藻や水草等に対しても広角的に作用することとなり、海底または湖底等に接近するポイントでの使用はリスクを負うものとなっていた。
【０００３】
そこで、釣り針を一時的にルアー本体に係止させる構成が考えられるところ、ルアー本体に設けた磁石によってルアー本体の背部に設ける釣り針を磁着させる構成のルアーの技術が存在する。
【特許文献１】特開平１０−１６５０４８号公報（図１、図５）
【特許文献２】特開２００４−３３７０６３号公報（４頁、図３）
【発明の開示】
【発明が解決しようとする課題】
【０００４】
上記の技術は、ルアー本体の背部に釣り針を装着する場合、その釣り針がルアー全体の動作の妨げとならないように釣り針の適度な範囲をルアー本体の凹状部分に埋没させるとともに、ルアー本体の凹状部分よりも内側に磁性体を内蔵させ、その磁性体によって釣り針の適宜個所を磁着する構成であった。そして、この技術は、専ら釣り針がルアー全体の動作に与える影響を抑えるために設けられたものであると同時に、背後からの捕食の際にも対象魚をヒットさせるために敢えて背部に釣り針を設けることができるように構成したものであった。また、ルアー本体の背部における釣り針を磁着する構成の場合は、振動等何らかの理由により当該釣り針が磁石から離脱したときでも、ルアー本体が浮上するのに対して釣り針は沈下することとなるから、再び磁石による磁着の可能性を予想することができるものであった。
【０００５】
しかしながら、上記技術は、着水時の振動等によって釣り針が磁石から離脱することをも想定し、釣り針が容易に離脱しないように、当該釣り針の大部分を収容することのできる凹状部分をルアー本体に構成したものであり、根掛かり防止を目的として、ルアー本体の腹部に吊設された釣り針について上記技術を転用する場合には、沈下方向に作用する釣り針の磁着を維持するために強力な磁着力を有する磁石を使用するなどの方法によらざるを得ず、また、仮に磁着力が強大であったとしても、腹部の釣り針が磁石から離脱した場合には、浮上するルアーに対して、これから離れるように釣り針が沈下するため、釣り針が再び磁石によって磁着することを期待することは難しかった。
【０００６】
本発明は、上記諸点にかんがみてなされたものであって、その目的とするところは、根掛かりの原因となるルアー本体の腹部に吊設される釣り針を、ルアー本体の腹部に一時的に固定することのできるルアーを提供することである。
【課題を解決するための手段】
【０００７】
そこで、本発明は、ルアー本体に設けられたフック用リングに釣り針を装着してなるルアーにおいて、上記釣り針には、係入用突起部材を装着し、上記ルアー本体には、上記係入用突起部材の先端が侵入できる係入用凹部を備え、上記係入用突起部材は、略Ｃ字状の本体部と、この本体部の開口両端から外方に突出する突出部とで構成され、上記本体部を上記釣り針の基部に装着してなることを特徴とするルアーを要旨としている。
【０００８】
上記構成によれば、略Ｃ字状の本体部は、釣り針基部の周囲のほぼ全周を包囲するように装着できることとなり、このような装着と同時に開口両端から突出する突出部が、ルアー本体の係入用凹部に係入されることにより、釣り針の自由な動きを止めることができることとなる。すなわち、釣り針の基端は、フック用リングにより方向自在に連結されるが、このフック用リングによる第一の連結位置と、係入用突起部材の係入による第二の連結位置とによって、二個所で固定されることから、釣り針の自由度は制限されることとなるのである。そして、対象魚がヒットする前の釣り針は自由度が制限された状態が維持される一方、対象魚がヒットした後は、上記係入が容易に解除されて再び釣り針が自由な動きが可能となり、従来と同様のリーリングを行うことができるのである。
【０００９】
上記発明における係入用突起部材の突出部の構成として、前記係入用突起部材の本体部両端から所定の間隙を有しつつ略平行に突出する２本の突出基部と、この突出基部のそれぞれの先端付近において外向きに膨出する膨出部とからなる突起部とすることができる。
【００１０】
このような構成によれば、略平行な突出基部が所定の間隙を有することから、突出基部には当該間隙に相当する遊びが設けられることとなり、突出部の幅寸法を小さくする必要があるときには、上記間隙を縮小させ、または間隙をなくすように、突出基部を変形させることにより実現し得るものとなる。そして、先端の膨出部によって、係入先である係入用凹部内に係入した膨出部は、その容易な抜脱を防止することができるのである。
【００１１】
さらに、上記発明における係入用凹部の構成として、前記膨出部が収容できる程度の容積を有する収容部を有し、該係入用凹部の開口は、前記２本の突出基部を接近させて両者の中間に構成される間隙を縮小させるとき、前記膨出部を含む先端部分が通過できるようにしてなる係入用凹部とすることができる。
【００１２】
このような構成によれば、係入用突起部材の突出部を係入用凹部に係入させるときには、人為的に両突出部間の間隙を縮小させることによって、その係入が容易となり、逆に係入後においては、当該突出部の形状が復元し、再び所定の間隙を有する状態となったとき、膨出部が係入用凹部内に掛止されて、容易な抜脱を防止することができる。
【００１３】
また、上記発明における膨出部の構成として、突出基部の先端から基部に向かって膨出長さが徐々に大きくなるように構成した膨出部とすることができる。この場合、膨出部の形状により、係入時は係入を容易にし、抜脱を困難にすることができるので、釣り針の一時的固定状態を維持させることが可能となる。
【００１４】
そして、前記釣り針について、ルアー本体の複数個所に装着され、これらのうち少なくとも１個に前記係入用突起部材が装着されるとともに、この係入用突起部材を侵入可能な係入用凹部が必要個数だけ設けられた構成とすることができる。このような構成であれば、目的に沿って種々の組み合わせが選択でき、例えば、根掛かりを防止する目的でるならば、ルアー本体の腹側に設けられる釣り針についてのみ係入用突起部材を装着し、これに対応する位置に係入用凹部を設ければよいのである。
【発明の効果】
【００１５】
一般的に釣り針は金属製であり沈下方向に作用し、ルアー本体は適宜浮力を受けて浮上方向に作用するため、釣り針の基部を一時的に固定することは困難とされるが、本発明によれば、これを可能にするものである。特に、ルアー本体の腹部側に連結する釣り針について上記が妥当する。したがって、海底または湖底等に近い場所を移動させるルアーにおいては、腹部側の釣り針について、その基部を一時的に固定することにより、根掛かりの原因となる海藻や水草との絡まりを防止することができ、根掛かりによる高価なルアーの廃棄回数を減少させ、釣りを楽しむ者のルアーの損失を低下させるとともに、海底または湖底にルアーが残留することによる環境悪化の原因をも解消できることとなる。
【発明を実施するための最良の形態】
【００１６】
以下、本発明の実施の形態を図面に基づいて説明する。本実施形態は、図１に示すように、ルアー本体１０の腹部の中央１１および後端付近１２に、それぞれフック用リング１３，１４を介して釣り針２，３が吊設されたルアー１に関するものである。この種のルアー１に使用される釣り針２，３はトリプルフックと呼ばれ、三つの針先を有するものが一般的である。そして、その基部２１の先端には環状の取付部２２，３２が設けられ、上記フック用リング１３，１４と環状取付部２２，３２との中間に連結リング２３，３３が介在されて、フック用リング１３，１４の円環部分と連結リング２３，３３の円環部分が直交方向に連結されるため、釣り針２，３の基部２１，３１は、自在な方向に向きを変更できるようになっている。
【００１７】
本実施形態の釣り針２，３には、その基部２１，３１に係入用突起部材４，５が装着されており、この係入用突起部材４，５の一部が突出するように構成されている。他方、本実施形態のルアー本体１０の表面には、上記係入用突起部材４，５の突出部分の係入を許容する係入用凹部６，７が構成されている。（図１（ａ）参照）。そして、釣り針２，３をルアー本体１０に固定する場合には、係入用突起部材４，５の突出部分をルアー本体１０の係入用凹部６，７に係入することにより、突出部分が係入用凹部６，７によって掛止され、一時的に固定されるものである（図１（ｂ）参照）。
【００１８】
ここで、係入用突起部材４，５の詳細を説明する。図２は、釣り針２の拡大図である。なお、他方の釣り針３も同一構造であるため一方の釣り針２を例にして説明する。この図に示すように、係入用突起部材４は、釣り針２の基部２１に装着されている。この係入用突起部材４は、略Ｃ字状の本体部４１と、その開口両端４２，４３から外方に突出する突出部４４，４５とで構成されており、両突出部（突出基部）４４，４５は、上記本体部４１の開口間隙を維持するように所定の間隙４６を有しつつ、平行に設けられている。また、両突出部４４，４５は、同じ肉厚の板状に構成されるとともに、その先端付近外側には、膨出部４７，４８が形成されており、掛止部として機能するように構成されている。そして、この膨出部４７，４８は、先端に向けて先細り形状となるように勾配が付されており、上述の係入用凹部６，７に対する係入を容易にするとともに、容易な抜脱を防止することができるようになっている。
【００１９】
また、係入用突起部材４の全体は、変形可能なプラスチック製品であり、本体部４１を変形することによって、釣り針２の基部２１に対する装着を可能としており、装着後は、本来形状に復元されるため、釣り針２の基部２１の周囲を全周にわたって包囲するように装着され得る。なお、上記本体部４１の復元力により、本体部４１が釣り針２の基部２１を締め付けることとなるのである。さらに、突出部４４，４５も変形可能であるから、これを上述の係入用凹部に係入するとき、両突出部４４，４５の中間に存在する間隙４６を減少させ、または、両者４４，４５を密着させて、膨出部４７，４８の外寸法を小さくさせることにより、係入を容易にすることができるのである。なお、このようにして係入した後は、再び間隙４６は所定寸法まで復元することとなるのである。
【００２０】
これに対し係入用凹部６（，７）は、図３に示すように、突出部４４，４５の先端に構成される膨出部４７，４８が十分に収容できる容積が確保されている。これと同時に凹部６の開口部６１，６２は、狭く構成されており、膨出部４７，４８が凹部６の内部において間隙４６を復元させたとき、その膨出部４７，４８の最も外側部分が凹部６の開口部６１，６２によって引っ掛かるようになっている。なお、上述のように、係入用突起部材４は、全体として変形可能なプラスチック製品であるため、開口部６１，６２の開口幅寸法の精度および突出部４４，４５の膨出部４７，４８や間隙４６の加工精度が厳しいものではなく、係入に際して適宜変形できるものである。
【００２１】
本実施形態は、上記のような構成であるから、釣り針２をルアー本体１０に一時的に固定する場合には、係入用突起部材４の突出部４４，４５を係入用凹部６に係入することにより可能となる。そして、釣りの対象となる魚がヒットしたときは、この釣り針２の係入用突起部４が係入用凹部６から離脱し、釣り針２は、通常どおりフック用リング１３のみにより連結された状態となるのである。
【００２２】
このように、対象魚がヒットするまでの間、釣り針２，３がルアー本体１０に一時的に固定されることにより（図１（ｂ）参照）、その針先端部分がルアー本体１０に接近させて配置することが可能となり、海底または湖底などの近くまで沈下させて使用する場合であっても根掛かり等を防止できるのである。なお、対象魚は、釣り針２，３の状態にかかわらず、ルアー本体１０に対して捕食行動をするから、釣り針２，３が垂下する場合と異なることなく対象魚の捕食を得ることができる。また、対象魚がヒットした後に、釣り針２，３が通常のフック用リング１３，１４によって連結される状態とすることにより、釣り針２，３に掛かった魚がルアー本体１０に対して前後左右の方向に動く場合、その方向に沿って釣り針２，３が自由に方向を変換できるようにするのである。
【００２３】
本発明の実施形態は上記のとおりであるが、本発明の趣旨を逸脱しない範囲において種々の態様をとることができる。たとえば、上記実施形態では、ルアー本体１０の腹部側の二個所１１，１２に設けられる釣り針２，３について一時的に固定する構成としたものを示したが、この数または位置等は、ルアーの種類等によって適宜変更することができる。そして、背部と腹部とが区別されないルアーでは、背部および腹部のいずれについても一時的固定が可能な構成とすることができるほか、背後からの捕食が予想される魚を釣りの対象とする場合には、背部に設ける釣り針について一時的固定をする構成とすることも可能である。
【図面の簡単な説明】
【００２４】
【図１】本発明の実施形態を示す説明図である。
【図２】釣り針の拡大図である。
【図３】図１（ｂ）のＩＩＩ−ＩＩＩ断面図である。
【符号の説明】
【００２５】
１  ルアー
２，３  釣り針
４，５  係入用突起部材
６，７  係入用凹部
１０  ルアー本体
１１  ルアー本体の腹部中央
１２  ルアー本体の後端付近
１３，１４  フック用リング
２１，３１  釣り針基部
２２，３２  環状取付部
２３，３３  連結リング
４１  係入用突起部材の本体部
４２，４３  本体部の開口両端
４４，４５  突出部
４６  間隙
４７，４８  膨出部
６１，６２  係入用凹部の開口部
【図１】
2008035711.tif 000003
【図２】
2008035711.tif 000004
【図３】
2008035711.tif 000005